(57)【特許請求の範囲】
【請求項１】
複数の端末装置および中継装置、およびこれらの装置を接続する複数の物理あるいは論理的伝送路をそなえ、
端末装置がネットワークへ流入するパケットに内部経路制御用の識別ヘッダを付与して中継装置ないしは端末装置へ転送し、
中継装置が当該ヘッダに基づいて中継装置ないしは端末装置へパケットを転送し、
中継装置ないしは端末装置からパケットを受信した端末装置がパケットの識別ヘッダを除去してネットワーク外部へ転送する
ことによりパケットの転送を行うコネクションレス型通信ネットワークにおける
マルチキャストルーティングプロトコル終端方法において、
端末装置および中継装置と伝送路との接続関係に関するネットワーク構成情報を保持している経路制御装置が、制御用ネットワークおよび伝送用ネットワークを介して端末装置および中継装置に接続されていて、
端末装置に対向で接続しているユーザネットワークから端末装置へ送信されてきたパケットがマルチキャストルーティングプロトコル制御メッセージの場合、
端末装置は当該マルチキャストルーティングプロトコル制御メッセージを直接ないしは中継装置を介して経路制御装置へ転送し、
経路制御装置は、マルチキャストルーティングプロトコル制御メッセージを受信し、マルチキャストルーティングプロトコル制御メッセージの内容を解析し、
マルチキャストルーティングプロトコル制御メッセージがマルチキャストグループへの参加要求の場合、
経路制御装置は対応するマルチキャストルーティングプロトコル制御メッセージを作成し直接ないしは中継装置を介して端末装置へ送信し、
端末装置は経路制御装置から送信されたマルチキャストルーティングプロトコル制御メッセージをユーザネットワークへ転送することによりマルチキャストルーティングプロトコルを終端し、
かつ経路制御装置は、マルチキャストルーティングプロトコル制御メッセージの内容および保持しているネットワーク構成情報に基づいて、転送装置間の経路を計算し、端末装置および中継装置へ経路設定メッセージを送信することにより転送経路を設定する
ことを特徴とするマルチキャストルーティングプロトコル終端方法。
【請求項２】
複数の端末装置および中継装置、およびこれらの装置を接続する複数の物理あるいは論理的伝送路をそなえ、
端末装置がネットワークへ流入するパケットに内部経路制御用の識別ヘッダを付与して中継装置ないしは端末装置へ転送し、
中継装置が当該ヘッダに基づいて中継装置ないしは端末装置へパケットを転送し、
中継装置ないしは端末装置からパケットを受信した端末装置がパケットの識別ヘッダを除去してネットワーク外部へ転送する
ことによりパケットの転送を行うコネクションレス型通信ネットワークにおける
マルチキャストルーティングプロトコル終端方法において、
端末装置および中継装置と伝送路との接続関係に関するネットワーク構成情報を保持している経路制御装置が、制御用ネットワークおよび伝送用ネットワークを介して端末装置および中継装置に接続されていて、
端末装置に対向で接続しているユーザネットワークから端末装置へ送信されてきたパケットがマルチキャストルーティングプロトコル制御メッセージの場合、
端末装置は当該マルチキャストルーティングプロトコル制御メッセージを直接ないしは中継装置を介して経路制御装置へ転送し、
経路制御装置は、マルチキャストルーティングプロトコル制御メッセージを受信し、マルチキャストルーティングプロトコル制御メッセージの内容を解析し、
マルチキャストルーティングプロトコル制御メッセージが経路制御装置の生存確認ないしは経路制御装置の選挙などマルチキャストグループへの参加離脱に関わらない場合、
経路制御装置は対応するマルチキャストルーティングプロトコル制御メッセージを作成し直接ないしは中継装置を介して端末装置へ送信し、
端末装置は経路制御装置から送信されたマルチキャストルーティングプロトコル制御メッセージをユーザネットワークへ転送することによりマルチキャストルーティングプロトコルを終端する
ことを特徴とするマルチキャストルーティングプロトコル終端方法。
【請求項３】
複数の端末装置および中継装置、およびこれらの装置を接続する複数の物理あるいは論理的伝送路をそなえ、
端末装置がネットワークへ流入するパケットに内部経路制御用の識別ヘッダを付与して中継装置ないしは端末装置へ転送し、
中継装置が当該ヘッダに基づいて中継装置ないしは端末装置へパケットを転送し、
中継装置ないしは端末装置からパケットを受信した端末装置がパケットの識別ヘッダを除去してネットワーク外部へ転送する
ことによりパケットの転送を行うコネクションレス型通信ネットワークにおける
マルチキャストパケット転送方法において、
端末装置および中継装置と伝送路との接続関係に関するネットワーク構成情報を保持している経路制御装置が、制御用ネットワークおよび伝送用ネットワークを介して端末装置および中継装置に接続されていて、
端末装置に対向で接続しているユーザネットワークから端末装置へ送信されてきたパケットがマルチキャストグループへのデータ送信の場合、
端末装置は経路制御装置により設定されたマルチキャストグループに該当する識別ヘッダを当該パケットに付与して中継装置ないしは端末装置へ転送し、
中継装置は当該ヘッダおよび経路制御装置の設定に基づいて中継装置ないしは端末装置へパケットを転送し、
パケットを受信した中継装置ないしは端末装置は識別ヘッダを除去した経路制御装置の設定に基づきパケットをユーザネットワークへ転送する
ことを特徴とするマルチキャストパケット転送方法。
【請求項４】
複数の端末装置および中継装置、およびこれらの装置を接続する複数の物理あるいは論理的伝送路から構成され、
端末装置がネットワークへ流入するパケットに内部経路制御用の識別ヘッダを付与して中継装置ないしは端末装置へ転送し、
中継装置が当該ヘッダに基づいて中継装置ないしは端末装置へパケットを転送し、
中継装置ないしは端末装置からパケットを受信した端末装置がパケットの識別ヘッダを除去してネットワーク外部へ転送することによりパケットの転送を行うコネクションレス型通信ネットワークに関し、当該コネクションレス型通信ネットワークに用いられる端末装置であって、
当該端末装置が、
経路テーブル、
ユーザネットワークから受信したパケットのヘッダを解析する手段、
解析したヘッダ情報を基に経路テーブルを検索し当該パケットの識別ヘッダを決定する手段、
パケットに識別ヘッダを付与する手段、
パケットの転送手段、
中継装置ないしは端末装置から受信したパケットの識別ヘッダを除去する手段、
中継装置ないしは端末装置から受信したパケットのヘッダを解析する手段、
解析したヘッダ情報を基に経路テーブルを検索し当該パケットの転送先ユーザネットワークを決定する手段、
制御用ネットワークを介して経路制御装置と通信する手段、
経路制御装置から受信した経路設定に基づき経路テーブルを設定する手段、
を具える
ことを特徴とする端末装置。
【請求項５】
複数の端末装置および中継装置、およびこれらの装置を接続する複数の物理あるいは論理的伝送路から構成され、
端末装置がネットワークへ流入するパケットに内部経路制御用の識別ヘッダを付与して中継装置ないしは端末装置へ転送し、
中継装置が当該ヘッダに基づいて中継装置ないしは端末装置へパケットを転送し、
中継装置ないしは端末装置からパケットを受信した端末装置がパケットの識別ヘッダを除去してネットワーク外部へ転送することによりパケットの転送を行うコネクションレス型通信ネットワークに関し、当該コネクションレス型通信ネットワークに用いられる中継装置であって、
当該中継装置が、
経路テーブル、
受信したパケットの識別ヘッダを解析する手段、
解析したヘッダ情報を基に経路テーブルを検索し当該パケットの転送先中継装置ないしは端末装置を決定する手段、
制御用ネットワークを介して経路制御装置と通信する手段、
経路制御装置から受信した経路設定に基づき経路テーブルを設定する手段、
を具える
ことを特徴とする中継装置。
【請求項６】
複数の端末装置および中継装置、およびこれらの装置を接続する複数の物理あるいは論理的伝送路から構成され、
端末装置がネットワークへ流入するパケットに内部経路制御用の識別ヘッダを付与して中継装置ないしは端末装置へ転送し、
中継装置が当該ヘッダに基づいて中継装置ないしは端末装置へパケットを転送し、
中継装置ないしは端末装置からパケットを受信した端末装置がパケットの識別ヘッダを除去してネットワーク外部へ転送することによりパケットの転送を行うコネクションレス型通信ネットワークに関し、当該コネクションレス型通信ネットワークに用いられる経路制御装置であって、
当該経路制御装置が、
制御用ネットワークおよび伝送用ネットワークを介して端末装置および中継装置と通信する手段、
端末装置および中継装置と伝送路との接続関係に関するネットワーク構成情報を取得し維持管理する手段、
マルチキャストルーティングプロトコル制御メッセージを受信する手段、
マルチキャストルーティングプロトコル制御メッセージを解析する手段、
マルチキャストルーティングプロトコル制御メッセージを作成し送信する手段、
解析したマルチキャストルーティングプロトコル制御メッセージ情報に基づいて経路を計算する手段、
計算された経路に基づいて経路設定メッセージを端末装置および中継装置に送信する手段、
を具える
ことを特徴とする経路制御装置。
【発明の詳細な説明】
【０００１】
【発明の属する技術分野】
本発明は、コネクションレス型通信ネットワークにおいて、ユーザネットワークのマルチキャストルーティングプロトコルを経路制御サーバが終端し、当該プロトコルの制御メッセージ情報に基づいてネットワーク内の経路を経路制御サーバがー元的に計算および設定することにより、制御メッセージの収束性を向上させ、制御メッセージの輻輳を回避し、迅速且つ経済的にマルチキャストルーティングプロトコルを終端せしめることが出来るマルチキャストルーティングプロトコル終端方法ならびにマルチキャストパケット転送方法およびそれらの終端ならびに転送のための装置に関するものである。
【０００２】
【従来の技術】
従来、コネクションレス型通信ネットワークにおいて、マルチキャストルーティングプロトコルに基づいた経路制御を行う場合、主に自律分散型経路制御方式が用いられている。
【０００３】
本発明において前提とするコネクションレス型通信ネットワークの代表的なものは、ＭＰＬＳ  （Ｍｕｌｔｉ  Ｐｒｏｔｏｃｏｌ  Ｌａｂｅｌ  Ｓｗｉｔｃｈｉｎｇ）  であるが、ＭＰＬＳにおけるマルチキャストルーティングプロトコルに基づいた経路制御は自律分散型である  （”Ｆｒａｍｅｗｏｒｋ  ｆｏｒ  ＩＰ  Ｍｕｌｔｉｃａｓｔ  ｉｎ  ＭＰＬＳ”，  ｄｒａｆｔ−ｉｅｔｆ−ｍｐｌｓ−ｍｕｌｔｉｃａｓｔ−Ｏ１．ｔｘｔ，２０００  年５月発行、ＩＥＴＦ  （Ｉｎｔｅｒｎｅｔ  Ｅｎｇｉｎｅｅｒｉｎｇ  Ｔａｓｋ  Ｆｏｒｃｅ）におけるワーキングドキュメント、に基づく）。
【０００４】
自律分散型経路制御方式では、まず、ユーザネットワークからマルチキャストルーティングプロトコル制御メッセージを受信した端末装置がそのメッセージを隣接する端末装置ないしは中継装置へ順次通知することにより、結果としてネットワーク全体にマルチキャストルーティングプロトコル制御メッセージを行き渡らせる方法を取る。
【０００５】
また、ネットワーク内の経路の計算は、マルチキャストルーティングプロトコルを受信した各端末装置および中継装置によって独立且つ非同期に行われ、経路計算結果は各端末装置および中継装置が自身に設定を行う。
【０００６】
【発明が解決しようとする課題】
このような自律分散型経路制御方式では、マルチキャストルーティングプロトコルの通知処理および経路の計算処理が各端末装置および中継装置で非同期且つ同時並列的に行われるため、大規模ネットワークではネットワーク全体にマルチキャストルーティングプロトコル制御メッセージが行き渡って各端末装置および中継装置が持つ制御メッセージ情報が整合するまでに時間を要し、その結果一時的にネットワークの経路制御の同期が取れずにパケットの転送に失敗するなどの不安定な状態に陥る問題がある。
【０００７】
また、大規模広域ネットワークにおいては、ネットワーク全体におけるマルチキャストルーティングプロトコル制御メッセージの交換による帯域消費が無視できない程度に大きくなるという問題もある。
【０００８】
本発明の目的は、上記の問題点を解決することであり、すなわち、コネクションレス型通信ネットワークにおいて、制御メッセージの収束時間および制御メッセージの帯域消費を小さく押さえることにより、安定して経済的にマルチキャスト通信を実現できることを可能にすることにある。
【０００９】
【課題を解決するための手段】
本発明における端末装置は、
経路テーブル、
ユーザネットワークから受信したパケットのヘッダを解析する手段、
解析したヘッダ情報を基に経路テーブルを検索し当該パケットの識別ヘッダを決定する手段、
パケットに識別ヘッダを付与する手段、
パケットの転送手段、
中継装置ないしは端末装置から受信したパケットの識別ヘッダを除去する手段、
中継装置ないしは端末装置から受信したパケットのヘッダを解析する手段、
解析したヘッダ情報を基に経路テーブルを検索し当該パケットの転送先ユーザネットワークを決定する手段、
制御用ネットワークを介して経路制御装置と通信する手段、
経路制御装置から受信した経路設定に基づき経路テーブルを設定する手段、
を具える。
【００１０】
また、本発明における中継装置は、
経路テーブル、
受信したパケットの識別ヘッダを解析する手段、
解析したヘッダ情報を基に経路テーブルを検索し当該パケットの転送先中継装置ないしは端末装置を決定する手段、
制御用ネットワークを介して経路制御装置と通信する手段、
経路制御装置から受信した経路設定に基づき経路テーブルを設定する手段、
を具える。
【００１１】
また、本発明における経路制御装置は、
制御用ネットワークおよび伝送用ネットワークを介して端末装置および中継装置と通信する手段、
端末装置および中継装置と伝送路との接続関係に関するネットワーク構成情報を取得し維持管理する手段、
マルチキャストルーティングプロトコル制御メッセージを受信する手段、
マルチキャストルーティングプロトコル制御メッセージを解析する手段、
マルチキャストルーティングプロトコル制御メッセージを作成し送信する手段、
解析したマルチキャストルーティングプロトコル制御メッセージ情報に基づいて経路を計算する手段、
計算された経路に基づいて経路設定メッセージを端末装置および中継装置に送信する手段、
を具える。
【００１２】
以上のような手段を具えるコネクションレス型通信ネットワークにおいて、端末装置、中継装置、経路制御装置は、前記の課題を解決するために、次のような動作を行う。
【００１３】
端末装置および中継装置と伝送路との接続関係に関するネットワーク構成情報を保持している経路制御装置が設けられ、当該経路制御装置を制御用ネットワークおよび伝送用ネットワークを介して端末装置および中継装置に接続しておく。
【００１４】
端末装置は、対向で接続しているユーザネットワークから送信されてきたマルチキャストルーティングプロトコル制御メッセージを経路制御装置へ転送する。
【００１５】
経路制御装置は、マルチキャストルーティングプロトコル制御メッセージを受信した場合、マルチキャストルーティングプロトコル制御メッセージの内容を解析する。
【００１６】
そして
（Ａ）当該マルチキャストルーティングプロトコル制御メッセージがマルチキャストグループへの参加要求ないしはマルチキャストグループへのデータ送信の場合、
（Ａ−１）経路制御装置は対応するマルチキャストルーティングプロトコル制御メッセージを端末装置へ送信する。
【００１７】
（Ａ−２）端末装置は経路制御装置から送信されたマルチキャストルーティングプロトコル制御メッセージをユーザネットワークへ転送する。このとき、経路制御装置は、マルチキャストルーティングプロトコル制御メッセージの内容および保持しているネットワーク構成情報に基づいて、転送装置間の経路を計算し、端末装置および中継装置へ経路設定メッセージを送信することにより転送経路を設定する。
【００１８】
（Ａ−３）端末装置および中継装置は、経路設定メッセージを受信した場合、経路情報テーブルの更新により経路設定を行う。
（Ｂ）マルチキャストルーティングプロトコル制御メッセージが経路制御装置の生存確認ないしは経路制御装置の選挙などマルチキャストグループへの参加離脱に関わらない場合、
（Ｂ−１）経路制御装置は、対応するマルチキャストルーティングプロトコル制御メッセージを端末装置へ送信する。
【００１９】
（Ｂ−２）端末装置は、経路制御装置から送信されたマルチキャストルーティングプロトコル制御メッセージをユーザネットワークへ転送することにより、マルチキャストルーティングプロトコルを終端し、ユーザネットワーク間のマルチキャスト通信を行う。
【００２０】
【発明の実施の形態】
図１に、本発明の実施形態の一例であるコネクションレス型通信ネットワークの構成を示す。
【００２１】
図１において、
１０は、端末装置および中継装置と伝送路との接続関係に関するネットワーク構成情報を保持しマルチキャストルーティングプロトコルを終端し端末装置および中継装置間の経路を計算し設定を行う経路制御装置、
２０、２１、２２、２３は、ユーザネットワークから送信されたパケットを受信し識別ヘッダを付与し中継装置へ転送しまたは中継装置からパケットを受信し識別ヘッダを除去しユーザネットワークへ転送する端末装置、
３０、３１、３２、３３は、端末装置あるいは中継装置からパケットを受信し識別ヘッダの情報と経路テーブルに基づきパケットを中継装置あるいは端末装置へ転送する中継装置、
４０、４１、４２、４３は、端末装置に収容されているユーザネットワーク、１００、１０１、１０２、１０３、１０４、１０５、１０６、１０７、１０８は、中継装置と端末装置と経路制御装置とを接続しパケットを転送しないしはマルチキャストルーティングプロトコル制御メッセージを交換するリンクからなる伝送用ネットワーク、
２００は、経路制御装置と端末装置ないしは中継装置とを接続し経路設定メッセージを転送するリンクからなる伝送用ネットワーク、
３００、３０１、３０２、３０３は、ユーザネットワークと端末装置とを接続しパケットを転送ないしはマルチキャストルーティングプロトコル制御メッセージを交換するリンクからなる制御用ネットワークである。
【００２２】
図２に、本発明における経路制御装置の経路制御処理フローを示す。
【００２３】
以下に、経路制御装置における経路制御処理の概要を記述する。
【００２４】
ステップ（Ｓ１）：経路制御装置は、ユーザネットワークから送信されたマルチキャストルーティングプロトコル制御メッセージを受信する。
【００２５】
ステップ（Ｓ２）：経路制御装置は、受信したマルチキャストルーティングプロトコル制御メッセージを解析する。
【００２６】
ステップ（Ｓ３）：経路制御装置は、マルチキャストルーティングプロトコル制御メッセージの解析結果に基づき、当該メッセージがユーザネットワークの送信要求ないしは受信要求の場合、送信ユーザネットワークと受信ユーザネットワークを結ぶ端末装置および中継装置およびそれらを接続する伝送用ネットワークによって構成される経路を計算する。
【００２７】
ステップ（Ｓ４）：経路制御装置は、マルチキャストルーティングプロトコル制御メッセージの解析結果に基づき、当該メッセージがユーザネットワークの送信要求ないしは受信要求ではなく例えば生存確認などであった場合、当該ユーザネットワークにマルチキャストルーティングプロトコル制御メッセージの応答を行う。
【００２８】
ステップ（Ｓ５）：ステップ（Ｓ３）で計算した経路を端末装置および中継装置に設定する。
【００２９】
図３に、本発明における端末装置の転送処理フローを示す。
【００３０】
以下に、端末装置における転送処理の概要を記述する。
【００３１】
ステップ（Ｓ６）：端末装置は、経路制御装置から送信された経路テーブルの設定メッセージを受信する。
【００３２】
ステップ（Ｓ７）：受信した設定メッセージに基づき経路テーブルを設定する。
【００３３】
ステップ（Ｓ８）：端末装置は、ユーザネットワークないしは中継装置ないしは端末装置からパケットを受信する。
【００３４】
ステップ（Ｓ９）：端末装置は、受信したパケットの送信元を調べる。
【００３５】
ステップ（Ｓ１０）：端末装置がユーザネットワークからパケットを受信した場合、パケットを解析し、転送テーブルに基づき識別ヘッダを付与する。
【００３６】
ステップ（Ｓ１１）：そして中継装置ないしは端末装置ないしは経路制御装置へ転送する。
【００３７】
ステップ（Ｓ１２）：端末装置は、中継装置あるいは端末装置あるいは経路制御装置からパケットを受信した場合、識別ヘッダを削除する。
【００３８】
ステップ（Ｓ１３）：そしてパケットを解析し、転送テーブルに基づきパケットを中継装置あるいは端末装置あるいは経路制御装置へユーザネットワークを介して転送する。
【００３９】
図４に、本発明における中継装置の転送処理フローを示す。
【００４０】
以下に、中継装置における転送処理の概要を記述する。
【００４１】
ステップ（Ｓ１４）：中継装置は、経路制御装置から経路テーブルの設定メッセージを受信する。
【００４２】
ステップ（Ｓ１５）：中継装置は、受信した設定メッセージに基づき、経路テーブルを設定する。
【００４３】
ステップ（Ｓ１６）：中継装置は、中継装置ないしは端末装置からパケットを受信する。
【００４４】
ステップ（Ｓ１７）：中継装置は、中継装置あるいは端末装置あるいは経路制御装置からパケットを受信した場合、識別ヘッダを解析する。
【００４５】
ステップ（Ｓ１８）：そして転送テーブルに基づきパケットを中継装置あるいは端末装置あるいは経路制御装置へユーザネットワークを介して転送する。
【００４６】
図５に、本発明を用いてマルチキャストルーティングプロトコルを終端する場合のマルチキャストルーティングプロトコル制御メッセージのシーケンス図を示す。
【００４７】
以下に、図ｌのネットワークにおいて、ユーザネットワーク４２に送信端末が存在するマルチキャストグループに対し、ユーザネットワーク４０から受信要求が送信された場合の実施例を示す。
【００４８】
（動作１）：ユーザネットワーク４０からマルチキャストルーティングプロトコル受信要求メッセージが送信された場合、当該メッセージはリンク３００を介して端末装置２０へ送信される。端末装置２０は転送テーブルに基づき経路制御装置１０を指し示す識別ヘッダを付与し当該メッセージをリンク１００へ転送する。当該メッセージを受信した中継装置３０は識別ヘッダおよび転送テーブルに基づき当該メッセージをリンク１０８に転送する。経路制御装置は当該メッセージを受信する。
【００４９】
（動作２）：マルチキャストルーティングプロトコル受信要求メッセージを受信した経路制御装置は、当該メッセージを解析し、ユーザネットワーク４２からユーザネットワーク４０までの経路を計算する。ここで、その経路としてユーザネットワーク４２→リンク３０２→端末装置２２→リンク１０６→中継装置３２→リンク１０３→中継装置３０→リンク１００→端末装置２０→リンク３００→ユーザネットワーク４０という経路が計算されたものとする。
【００５０】
（動作３）：経路制御装置１０は、端末装置２０、２２、中継装置３０、３２に経路テーブル情報を設定する。
【００５１】
（動作４）：経路制御装置１０からの経路テーブル設定情報を受信した端末装置２０、２２、中継装置３０、３２は各々経路テーブルを設定する。
【００５２】
（動作５）：ユーザネットワーク４２からリンク３０２を介してパケットが端末装置２２に送信された場合、端末装置２２は、パケットを解析し、転送テーブルに基づき当該パケットに識別ヘッダを付与しリンク１０６に転送する。以降当該パケットは中継装置３２、３０で識別ヘッダ解析および転送テーブルに基づく転送処理が行われ、端末装置２０で識別ヘッダ削除および転送テーブルに基づく転送処理が行われ、ユーザネットワーク４０へ転送される。
【００５３】
以上示したように、本発明の方法を実装した経路制御装置は、マルチキャストルーティングプロトコルを終端し、端末装置間の経路を計算し、計算した経路を端末装置、中継装置に設定する、制御動作を行うことにより、コネクションレス型通信ネットワークにおけるマルチキャストルーティングプロトコル終端を実現する。
【００５４】
上記実施例においては経路制御装置がマルチキャストルーティングプロトコル制御メッセージをユーザネットワークと送受信する方法を定義しているため、経路制御装置におけるマルチキャストルーティングプロトコル終端動作をマルチキャストルーティングプロトコルの種類に応じ対応することで、様々なマルチキャストルーティングプロトコル、例えばＰＩＭ−ＳＭ（Ｐｒｏｔｏｃｏｌ  Ｉｎｄｅｐｅｎｄｅｎｔ  Ｍｕｌｔｉｃａｓｔ  −Ｓｐａｒｓｅ  Ｍｏｄｅ，  ＲＦＣ２３６２，  １９９８年６月発行、ＩＥＴＦ発行）にも本発明は適用可能である。
【００５５】
【発明の効果】
本発明によれば、コネクションレス型通信ネットワークにおいて、ユーザネットワークのマルチキャストルーティングプロトコルを経路制御装置がー元的に終端するため、マルチキャスト経路情報の収束時間をほぼ０にすることができ、かつ、マルチキャストルーティングプロトコル制御メッセージの帯域消費を小さく押さえることができることから、従来の方式に比べてより迅速かつ安定的に送受信情報を収集することが可能である。
【００５６】
また、当該プロトコルの制御メッセージ情報に基づいて一元的にネットワーク内の経路を計算および設定するため、従来の方式に比べてより迅速かつ経済的に経路制御することが可能であって、例えば多数の受信ユーザと多数の送信ユーザとを収容する大規模ネットワークにおいて、マルチキャスト通信を迅速、安定的、経済的に行うことが可能となる。
【図面の簡単な説明】
【図１】本発明の実施形態におけるネットワーク構成を示す。
【図２】本発明の経路制御装置の経路制御処理フローを示す。
【図３】本発明の実施例における端末装置の転送処理フローを示す。
【図４】本発明の実施例における中継装置の転送処理フローを示す。
【図５】本発明の実施例におけるマルチキャストルーティングプロトコル制御メッセージのシーケンス図を示す。
【符号の説明】
１０：経路制御装置
２０ないし２３：端末装置
３０ないし３３：中継装置
４０ないし４３：ユーザネットワーク
１００ないし１０８：伝送用ネットワーク
２００：伝送用ネットワーク
３００ないし３０３：制御用ネットワーク
【図１】
0003544515.tif 000002
【図２】
0003544515.tif 000003
【図３】
0003544515.tif 000004
【図４】
0003544515.tif 000005
【図５】
0003544515.tif 000006